(57)【要約】【課題】  ユーザーが選択した音量に応じた最適な音質補正機能へ容易に切り替えられる音声信号処理装置を提供すること。【解決手段】  音量を調整する音量調整手段と、所定の音声成分を抽出する音声信号抽出手段と、  抽出された上記の音声信号に所望の処理を加える第一の音声信号処理手段と、映像音声信号に含まれるメタデータから音場設定情報を入手するメタデータ入手手段と、メタデータ入手手段で入手した音場設定情報に基づいて所望の処理を行う第二の音声信号処理手段とを備える音声信号処理装置であって、  前記音量調整手段で調整される音量値に応じて第一の音声信号処理手段と第二の音声信号処理手段の処理を切り替えることを特徴とする構成とした。【選択図】  図１
2010258776.tif 000002
【特許請求の範囲】
【請求項１】
音量を調整する音量調整手段と、
所定の音声成分を抽出する音声信号抽出手段と、
抽出された上記の音声信号に所望の処理を加える第一の音声信号処理手段と、
映像音声信号に含まれるメタデータから音場設定情報を入手するメタデータ入手手段と、
メタデータ入手手段で入手した音場設定情報に基づいて所望の処理を行う第二の音声信号処理手段とを
備える音声信号処理装置であって、
前記音量調整手段で調整される音量値に応じて第一の音声信号処理手段と第二の音声信号処理手段の処理を切り替えることを特徴とする音声信号処理装置。
【請求項２】
第一の音声信号処理手段と第二の音声信号処理手段を切り替える音量値は、
第一の音声信号処理手段にて補正された周波数帯域の音響特性と、
第二の音声信号処理手段における前記周波数帯域の音響特性があらかじめ定められた特性差以内となる音量値とすることを特徴とする請求項１に記載の音声信号処理装置。
【発明の詳細な説明】
【技術分野】
【０００１】
本発明は、音声信号処理装置に関し、特に音量変化に応じて音質補正方法を切り替える音声信号処理装置に関するものである。
【背景技術】
【０００２】
従来、小音量時の音質補正方法として、特許文献１にあるように人の音声帯域成分（数百Ｈｚ〜４０００Ｈｚ程度の人の声もしくは会話の主たる周波数帯域成分）の聴こえやすさを補正するもの、または一般的にラウドネス補正と呼ばれる小音量時に聴感上聴こえにくくなる低音域と高音域などの環境音を補正する機能などの音質補正方法がある。これらの補正機能は、夜間など周囲への音漏れを抑制したい場合などに有効である。
【０００３】
また、特許文献２にあるようにテレビ局から放送される番組や光ディスクなどに記録されたコンテンツに付加されたメタデータの内容に応じて音質補正の方法を決定し、決定された音質補正方法で音声出力する方法がある。
【先行技術文献】
【特許文献】
【０００４】
【特許文献１】特開２００７−０６７８５８号公報
【特許文献２】特開２００５−９４０７２号公報
【発明の概要】
【発明が解決しようとする課題】
【０００５】
しかしながら上述の小音量時に行う音質補正技術は、音量を上げるにつれて補正効果が抑制されていくことが一般的である。したがって、ある一定の音量以上では補正機能を使用していない状態と同じことになる。しかし、ユーザーはどの音量以上から上記補正機能の効果が無くなるのかわからないことがあり、補正効果がない状態で視聴を継続していることが多い。また、小音量時にメタデータに応じて決定された音質補正方法を使用した場合には、人の音声が聴こえにくくなることや、環境音が小さいために臨場感ある再生ができず音質補正の効果が小さい、などという問題点があった。そこで、本発明の目的は、ユーザーが選択した音量に応じた最適な音質補正機能へ容易に切り替えられる音声信号処理装置を提供することである。
【課題を解決するための手段】
【０００６】
上記目的を達成するために、本発明は、
音量を調整する音量調整手段と、
所定の音声成分を抽出する音声信号抽出手段と、
抽出された上記の音声信号に所望の処理を加える第一の音声信号処理手段と、
映像音声信号に含まれるメタデータから音場設定情報を入手するメタデータ入手手段と、
メタデータ入手手段で入手した音場設定情報に基づいて所望の処理を行う第二の音声信号処理手段とを
備える音声信号処理装置であって、
前記音量調整手段で調整される音量値に応じて第一の音声信号処理手段と第二の音声信号処理手段の処理を切り替えることを特徴とする。
【発明の効果】
【０００７】
本発明によれば、ユーザーが選択した音量に応じた最適な音質補正機能へ容易に切り替えられる音声信号処理装置を提供することができる。
【図面の簡単な説明】
【０００８】
【図１】この発明の実施形態による映像音声出力装置の構成を示すブロック図である。
【図２】制御部１９内のＲＯＭに保管されている小音量時特有の音質補正からメタデータで指示された音質補正へ切り替える音量レベルデータの一例
【図３】小音量時特有の音質補正からメタデータ指定の音質補正へ切り替える音量レベル値決定方法の一例
【図４】映像音声出力装置の表示音量値と音量変化特性、および音声信号処理方法切り替え音量の関係の一例
【図５】この発明の実施形態による制御部１９の動作を説明するためのフローチャート
【図６】小音量時用音質補正からメタデータ音質補正への切り替え選択画面の一例
【図７】メタデータ音質補正から小音量時用音質補正への切り替え選択画面の一例
【発明を実施するための形態】
【０００９】
以下に、本発明の好ましい実施の形態を、添付の図面に基づいて詳細に説明する。図１は、本発明の実施形態にかかわる音声信号処理部を含んだ映像音声出力装置の構成を例示するブロック図である。
【実施例１】
【００１０】
以下、図１を参照して、本発明の実施例による映像音声出力装置について詳細に説明する。
【００１１】
図１に示すように、映像音声出力装置１００はアンテナ１０、チューナー部１１、信号分離部１２、映像信号処理部１３、映像表示部１４、制御部１５、メタデータ処理部１６、音声信号処理部１７、音量調整部１８、スピーカ１９、および操作部２０を備える。
【００１２】
アンテナ１０は、映像信号、音声信号、メタデータなどを多重化しデジタル変調されたデジタルテレビジョン放送信号を受信する。
【００１３】
チューナー部１１は、デジタルテレビジョン放送信号の復調、誤り訂正処理などを行い、ＭＰＥＧ−２  ＴＳ信号を出力する。ここでＴＳはＴｒａｎｓｐｏｒｔ  ｓｔｒｅａｍの略語である。
【００１４】
信号分離部１２は、入力されたＭＰＥＧ―２  ＴＳ信号を映像信号、音声信号、メタデータに分離して、後段の映像信号処理部１３、メタデータ処理部１６、音声処理部１７へ伝送する。
【００１５】
映像信号処理部１３は、符号化された映像信号を復号する。また、復号化した信号についてメタデータ処理部１６で解析した番組情報や映像信号設定情報に基づいた高画質化信号処理等を行う。
【００１６】
映像表示部１４は、映像信号処理部１３で復号化された信号を映像として表示出力する手段である。映像表示部１４の表示手段は有機ＥＬなどを用いたものであってよい。
【００１７】
メタデータ処理部１５は、信号分離部１２にてＭＰＥＧ２−ＴＳ信号をフィルタリング処理するための情報や、ＥＰＧに用いる番組情報、あるいは映像信号処理および音声信号処理などに利用する設定情報などを取り出す手段である。ここでＥＰＧはＥｌｅｃｔｒｏｎｉｃ  ｐｒｏｇｒａｍ  ｇｕｉｄｅの略語である。メタデータ処理部１５で取り出された番組情報や音声信号処理に用いる設定情報は、制御部１９へ伝送され音声信号処理部１６で行う音声信号処理に利用される。メタデータ処理部１５から取り出す番組情報は、映画やニュース、スポーツなどのジャンル情報であってよい。または、映画やニュースなど番組ジャンルに関する情報、スタジアムやジャズクラブなど場所に関する音声設定情報、さらに一番組内の場面ごとに切り替わる環境に応じた音声設定情報、もしくは周波数特性補正値そのもの、などであってよい。
【００１８】
音声信号処理部１６は、ＭＰＥＧ―２  ＡＡＣで符号化された音声信号を復号したのち、周波数特性の調整や残響時間調整などの音声信号処理を行い、後段の音量調整部１７へ伝送する。ここでＡＡＣとはＡｄｖａｎｃｅｄ  ａｕｄｉｏ  ｃｏｄｉｎｇの略語である。音声信号処理部１６にて行う音声信号処理方法は、操作部２０でユーザーが選択した音量レベル値に応じて制御部１９が切り替え指示を行う。制御部１９から指示される音声信号処理の方法は、メタデータの内容に基づいた周波数補正方法、小音量時に聴こえにくくなる周波数を補正する方法などである。小音量時に補正する周波数帯域としては、人の音声帯域であれば数百Ｈｚから４０００Ｈｚの帯域、あるいは低域や高域であれば２０Ｈｚから数百Ｈｚと数千Ｈｚから２０ｋＨｚなどである。なお、ＭＰＥＧ−２  ＡＡＣで符号化された信号がマルチチャンネル音声信号である場合は、ここで２チャンネルダウンミックス処理を行ってもよい。
【００１９】
音量調整部１７は、操作部２０にてユーザーが選択した音量レベル情報を制御部１９から受信し、音量レベル情報に基づいて音量を調整する手段である。
【００２０】
スピーカ１８は、音量調整部１７で音量調整された音声信号を音声として再生出力する手段である。
【００２１】
制御部１９は、映像音声出力装置１００の動作を中央制御する手段である。具体的に制御部１９は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）などを有する構成であるがここでは図示しない。この制御部１９内のＲＯＭには、メタデータ処理部１５で取り出した番組情報や音声信号設定情報に基づき音声信号処理部１６で補正する音声信号処理の内容が保管されている。また、上記ＲＯＭには小音量時にユーザーが聴こえにくくなる周波数帯域を補正する音声信号処理の内容も保管されている。制御部１９は、これらＲＯＭに保管されている音声信号処理方法を操作部２０で指示された音量レベル値に応じて読み出し、音声信号処理部１６へ伝送して音声信号処理を切り替える。上記ＲＯＭには、これらの音声信号処理方法を切り替える音量レベル値情報についても保管されている。一例を図２に示す。この音量レベル値情報は、ユーザーが操作部２０にて選択した小音量時用音質補正の補正音質特性とメタデータ処理部１５で取り出したデータに基づく音声信号処理での補正音質特性を比較してあらかじめ決定しておく。具体的には小音量時用音質補正で補正される周波数帯域に着目し、この周波数帯域について、小音量時用音質補正での特性と、メタデータ処理部１６で取り出したデータに基づく補正音質特性とで特性値の比較を行う。比較を行った結果、周波数特性の差が最も小さくなる音量レベル値にて音声信号処理方法を切り替えることとする。一例として図３に音質特性の比較例を示す。例えば図３では、それぞれの周波数特性のうち、人の音声に関わる周波数帯域（図３の斜線部：数百Ｈｚから４０００Ｈｚ）の特性を比較し、この帯域の平均音圧レベルが近くなる音量レベル値を決定する。よって、視聴番組のメタデータによって音声信号処理方法を切り替える音量レベル値は異なることになる。一例として図４に映像音声出力装置の表示音量値と音量変化特性、および音声信号処理方法切り替え音量の関係を示す。なお、メタデータにて周波数特性の補正値そのものが指定される場合は、メタデータで指定された周波数特性が変更される毎に、メタデータで指定された周波数特性と小音量時用音質補正で補正する周波数特性を比較して、音声信号処理方法を切り替える音量レベル値を決定してもよい。
【００２２】
操作部２０は、映像音声出力装置１００の操作入力を行う手段である。具体的には、電源ボタン、数字ボタン、チャンネル切り替えボタン、音量切り替えボタン、各種ファンクションボタンなどの操作ボタンを備え、ユーザーの入力を電気信号に変換し、制御部１９へ伝送するものである。
【００２３】
次に、映像音声出力装置１００の制御部１９の制御下で行われる音声信号処理について、図５を参照して詳細に説明する。ここで、図５は、音声信号処理制御を示すフローチャートである。
【００２４】
図５に示すように、ユーザーが操作部２０にて音量調整指示を行う（Ｓ１００）と、制御部１９はメタデータ処理部１５からメタデータを入手し、メタデータが指定した音質補正の方法を判別する（Ｓ１０１）。音質補正の方法は、制御部１９のＲＯＭにあらかじめ保管されている補正方法から最も適合するものを参照してもよい。また、メタデータで周波数特性値そのものが指定されている際は、メタデータの特性値を参照してもよい。
【００２５】
次に制御部１９は、制御部１９のＲＯＭから小音量時特有の音質補正からメタデータで指定された音質補正方法への切り替えを行う音量レベルのしきい値を読み出す（Ｓ１０２）。またメタデータで周波数特性値そのものが指定されている場合は、メタデータで指定された周波数特性値のうち、小音量時特有の音質補正方法で補正している周波数帯域を抽出する。制御部１９は抽出した周波数帯域での特性値を比較し、小音量時特有の音質補正とメタデータで指定された音質補正特性での特性差が最小となる音量レベルを算出する。ここで算出された音量レベルが音質補正方法を切り替えるしきい値となる。
【００２６】
次に現在音声信号処理部１６にて選択されている音質信号処理方法は小音量時特有の音質補正方法か、またはメタデータの内容に基づいた音質補正方法か否かを判別する（Ｓ１０３）。
【００２７】
ステップＳ１０３にて小音量時特有の音質補正方法を選択されていると判断した場合、制御部１９は現在ユーザーが選択している音量値とステップＳ１０２にて決定したしきい値を比較する（Ｓ１０４）。
【００２８】
ステップＳ１０４にて現音量値としきい値を比較した結果、現音量値がしきい値を上回っている場合は、音声信号処理部１６へメタデータ指定の音質補正方法を伝送し、音質補正方法を変更する（Ｓ１０５）。ステップＳ１０４にて、音量レベル値が音質補正を切り替えるしきい値以下だった場合はステップＳ１００へ戻り次回音量レベルを調整時に再度音量レベルがしきい値以上か否かの判定を行うこととする。
【００２９】
なお、図５のステップＳ１０４にて現音量値としきい値を比較した結果、現音量値がしきい値を上回っていた場合、映像表示部１４に音質補正方法をメタデータが指定した補正方法へ切り替えるか否かの選択画面を表示してもよい。選択画面の一例を図６に示す。
【００３０】
また、ステップＳ１０３にて現在選択されている音質補正方法がメタデータに基づく音質補正だった場合、制御部１９は現在ユーザーが選択している音量値とステップＳ１０２にて決定したしきい値を比較する（Ｓ１０６）。その結果、現音量レベルが切り替えしきい値以下であるときに、ステップＳ１０７において小音量時用音質補正方法へ切り替える。補正方法を切り替えるしきい値は小音量時用音質補正方法の種類によって異なる。よって、ステップＳ１０７において、映像表示部１４にどの小音量時用音質補正へ切り替わるのかを画面表示してもよい。画面の一例を図７に示す。あるいは、ユーザーが選択したい小音量時の音質補正方法をあらかじめ入力しておいてもよい。
【００３１】
この一連の制御は映像音声出力装置１００の電源がオフされるまで継続されることになる（Ｓ１０８）。
【００３２】
以上、本発明の好ましい実施形態について説明したが、本発明はこれらの実施形態に限定されず、その要旨の範囲内で種々の変形及び変更が可能である。
【符号の説明】
【００３３】
１００  映像音声出力装置
１０  アンテナ部
１１  チューナー部
１２  信号分離部
１３  映像信号処理部
１４  映像表示部
１５  メタデータ処理部
１６  音声信号処理部
１７  音量調整部
１８  スピーカ
１９  制御部
２０  操作部
【図１】
2010258776.tif 000003
【図２】
2010258776.tif 000004
【図３】
2010258776.tif 000005
【図４】
2010258776.tif 000006
【図５】
2010258776.tif 000007
【図６】
2010258776.tif 000008
【図７】
2010258776.tif 000009